(57)【要約】      （修正有）【課題】建築現場における管理を容易にする。【解決手段】建築物における作業を管理するための情報処理システム１０は、建築用データを入力するデータ入力手段と、建築用データを出力する建築用データ出力手段と、建築用データが出力された画面上の作業の実施位置に、識別表示を出力する識別表示出力手段と、識別表示と作業を識別する識別情報とを対応させたリストを出力するリスト出力手段と、識別情報に対応し、作業実施前に入力され、作業に関連する情報を示す作業関連データを入力する作業関連データ入力手段と、識別情報に対応させて、作業実施前に撮像される第１画像データを入力する第１画像データ入力手段と、識別情報に対応させて、作業実施後に撮像される第２画像データを入力する第２画像データ入力手段と、第２画像データを撮像する際に、第１画像データを表示する画像表示手段とを含む。【選択図】図１４
2020009008.tif 000002
【特許請求の範囲】
【請求項１】
建築物における作業を管理するための情報処理システムであって、
前記建築物を示す建築用データを入力するデータ入力手段と、
前記建築用データを画面上に出力する建築用データ出力手段と、
前記建築用データが出力された画面上において、前記作業が行われる位置に、識別表示を出力する識別表示出力手段と、
前記識別表示と、前記作業を識別できる識別情報とを対応させたリストを出力するリスト出力手段と、
前記識別情報に対応し、かつ、前記作業が行われる前に入力され、前記作業に関連する情報を示す作業関連データを入力する作業関連データ入力手段と、
前記識別情報に対応させて、前記作業が行われる前に撮像される第１画像データを入力する第１画像データ入力手段と、
前記識別情報に対応させて、前記作業が行われた後に撮像される第２画像データを入力する第２画像データ入力手段と、
前記第２画像データを撮像する際に、前記第１画像データを表示する画像表示手段と
を含む情報処理システム。
【請求項２】
前記リスト出力手段は、
前記リストに、前記識別表示が出力される位置を特定できる位置情報を前記識別情報に対応させて出力する
請求項１に記載の情報処理システム。
【請求項３】
前記識別表示出力手段は、
前記作業が行われる前か後かによって、前記識別表示を異ならせて出力する
請求項１又は２に記載の情報処理システム。
【請求項４】
入力される画像データが、前記第１画像データ又は前記第２画像データのどちらであるかを判定する判定手段と、
前記第１画像データ及び前記第２画像データのそれぞれの数を出力するデータ数出力手段とを更に含む
請求項１乃至３のいずれか１項に記載の情報処理システム。
【請求項５】
前記識別表示出力手段は、
前記識別表示に基づいて複製を行う複製操作が入力されると、前記識別表示に対応する作業関連データのうち、所定の項目を示すデータを複製し、かつ、複製識別表示を更に出力する
請求項１乃至４のいずれか１項に記載の情報処理システム。
【請求項６】
前記リスト出力手段は、
前記複製操作が入力されると、前記複製識別表示に対応する複製識別情報を前記リストに追加し、かつ、前記識別情報を振り直す
請求項５に記載の情報処理システム。
【請求項７】
前記リスト出力手段は、
前記作業の対象物を計測した実測値、前記作業の設計値、前記対象物が作業後に計測される計測項目及び前記対象物を示す画像を少なくとも項目として有するリストを出力する
請求項１乃至６のいずれか１項に記載の情報処理システム。
【請求項８】
前記画像表示手段は、
前記第２画像データのプレビュー表示において、前記第１画像データを表示する請求項１乃至７のいずれか１項に記載の情報処理システム。
【請求項９】
前記第１画像データを表示する位置、大きさ、範囲又はこれらの組み合わせを設定する画像表示設定手段を更に含む
請求項１乃至８のいずれか１項に記載の情報処理システム。
【請求項１０】
前記第１画像データを表示するか否かを切り替える表示切替手段を更に含む
請求項１乃至９のいずれか１項に記載の情報処理システム。
【請求項１１】
前記第１画像データ又は前記第２画像データを複数入力して記憶する記憶手段と、
前記記憶手段が記憶する画像のうち、いずれかの画像を選択する選択手段と
を更に含み、
前記画像表示手段は、
前記選択手段で選択される画像を表示する
請求項１乃至１０のいずれか１項に記載の情報処理システム。
【請求項１２】
建築物における作業を管理するためのコンピュータに情報処理方法を実行させるためのプログラムであって、
コンピュータが、前記建築物を示す建築用データを入力するデータ入力手順と、
コンピュータが、前記建築用データを画面上に出力する建築用データ出力手順と、
コンピュータが、前記建築用データが出力された画面上において、前記作業が行われる位置に、識別表示を出力する識別表示出力手順と、
コンピュータが、前記識別表示と、前記作業を識別できる識別情報とを対応させたリストを出力するリスト出力手順と、
コンピュータが、前記識別情報に対応し、かつ、前記作業が行われる前に入力され、前記作業に関連する情報を示す作業関連データを入力する作業関連データ入力手順と、
コンピュータが、前記識別情報に対応させて、前記作業が行われる前に撮像される第１画像データを入力する第１画像データ入力手順と、
コンピュータが、前記識別情報に対応させて、前記作業が行われた後に撮像される第２画像データを入力する第２画像データ入力手順と、
コンピュータが、前記第２画像データを撮像する際に、前記第１画像データを表示する画像表示手順と
を実行させるためのプログラム。
【発明の詳細な説明】
【技術分野】
【０００１】
本発明は、情報処理システム及び情報処理システム用プログラムに関する。
【背景技術】
【０００２】
建築現場において、作業を管理する方法が知られている。
【０００３】
例えば、調査現場において、モバイルＰＣ（Ｐｅｒｓｏｎａｌ  Ｃｏｍｐｕｔｅｒ）等が、まず、施工図面上に不具合アイコンを表示する。そして、調査カードに不具合内容及び写真のデータを入力する方法が知られている（例えば、特許文献１等）。
【先行技術文献】
【特許文献】
【０００４】
【特許文献１】特開２００７−４３４９号公報
【発明の概要】
【発明が解決しようとする課題】
【０００５】
しかしながら、従来の方法では、不具合アイコン等の識別表示と、調査カードのようなリスト上の識別情報との対応が不明な場合が多い。そのため、アイコン等が示す作業が、リスト上のどこに記載されているかが分かりにくい場合が多く、建築現場における管理が大変な場合が多い。
【０００６】
本発明は、上記課題に鑑みてなされたものであり、建築現場における管理を容易にすることを目的とする。
【課題を解決するための手段】
【０００７】
本発明の各実施形態に係る情報処理システムは、以下のような構成を有する。
【０００８】
建築物における作業を管理するための情報処理システム（例えば、情報処理システム１０である。）は、
前記建築物を示す建築用データ（例えば、建築用データＤ１である。）を入力するデータ入力手段と、
前記建築用データを画面（例えば、画面ＰＬである。）上に出力する建築用データ出力手段と、
前記建築用データが出力された画面上において、前記作業が行われる位置に、識別表示（例えば、アイコンＩＣＮ１である。）を出力する識別表示出力手段と、
前記識別表示と、前記作業を識別できる識別情報とを対応させたリスト（例えば、リストＬＩである。）を出力するリスト出力手段と、
前記識別情報に対応し、かつ、前記作業が行われる前に入力され、前記作業に関連する情報を示す作業関連データ（例えば、作業関連データＤ２である。）を入力する作業関連データ入力手段と
を含む。
【０００９】
また、前記リスト出力手段は、
前記リストに、前記識別表示が出力される位置を特定できる位置情報を前記識別情報に対応させて出力する（例えば、画面ＰＬである。）のが望ましい。このような構成であると、例えば、対象となる作業がどこの場所で行われるかが分かりやすく表示できる。
【００１０】
また、前記識別表示出力手段は、
前記作業が行われる前か後かによって、前記識別表示を異ならせて出力する（例えば、図１２（Ａ）及び図１２（Ｂ）におけるアイコンＩＣＮ１である。）のが望ましい。このような構成であると、例えば、管理者は、どこの作業がまだ作業がされていない状態であるかを見つけやすい。
【００１１】
また、情報処理システムは、
前記識別情報に対応させて、前記作業が行われる前に撮像される第１画像データ（例えば、第１画像データＩＭＧ１である。）及び前記作業が行われた後に撮像される第２画像データ（例えば、第２画像データＩＭＧ２である。）を入力する画像データ入力手段を更に含むのが望ましい。このような構成であると、例えば、第２画像データを利用して作業の前後の画像を比較することで、管理者は、作業の前後でどのような変化があったか等を容易に把握することができる。
【００１２】
また、情報処理システムは、
入力される画像データが、前記第１画像データ又は前記第２画像データのどちらであるかを判定する判定手段と、
前記第１画像データ及び前記第２画像データのそれぞれの数を出力するデータ数出力手段（例えば、カウント数ＣＮＴ１及びカウント数ＣＮＴ２である。）とを更に含むのが望ましい。このような構成であると、例えば、管理者は、第１画像データ及び第２画像データのそれぞれの枚数が容易に把握できる。
【００１３】
また、前記識別表示出力手段は、
前記識別表示に基づいて複製を行う複製操作が入力されると（例えば、図１６に示す操作である。）、前記識別表示に対応する作業関連データのうち、所定の項目を示すデータを複製し（例えば、図１６（Ｂ）に示すような結果となる。）、かつ、複製識別表示（例えば、アイコンＩＣＮ１Ｃである。）を更に出力するのが望ましい。このような構成であると、例えば、管理者は、作業関連データを最初から入力するのと比較して、負荷を少なくできる。
【００１４】
また、前記リスト出力手段は、
前記複製操作が入力されると、前記複製識別表示に対応する複製識別情報を前記リストに追加し、かつ、前記識別情報を振り直す（例えば、アイコン番号Ｎ２及びアイコン番号Ｎ２Ａである。）のが望ましい。このような構成であると、例えば、管理者は、他のデータを繰り下げる等の手間を省くことができる。
【００１５】
また、前記リスト出力手段は、
前記作業の対象物を計測した実測値、前記作業の設計値、前記対象物が作業後に計測される計測項目及び前記対象物を示す画像を少なくとも項目として有するリストを出力するのが望ましい（例えば、図１５に示すようなチェックシートである）。このような構成であると、例えば、管理者等が、国又は地方自治体等の公的機関等に提出する書面を作成する負荷を軽減できる。
【００１６】
建築物における作業を管理するための情報処理システム用プログラムは、
前記建築物を示す建築用データを入力するデータ入力ステップと、
前記建築用データを画面上に出力する建築用データ出力ステップと、
前記建築用データが出力された画面上において、前記作業が行われる位置に、識別表示を出力する識別表示出力ステップと、
前記識別表示と、前記作業を識別できる識別情報とを対応させたリストを出力するリスト出力ステップと、
前記識別情報に対応し、かつ、前記作業が行われる前に入力され、前記作業に関連する情報を示す作業関連データを入力する作業関連データ入力ステップと
を含む。
【００１７】
また、建築物における作業を管理するための情報処理システム（例えば、情報処理システム１０である。）は、
前記建築物を示す建築用データ（例えば、建築用データＤ１である。）を入力するデータ入力手段と、
前記建築用データを画面（例えば、画面ＰＬである。）上に出力する建築用データ出力手段と、
前記建築用データが出力された画面上において、前記作業が行われる位置に、識別表示（例えば、アイコンＩＣＮ１である。）を出力する識別表示出力手段と、
前記識別表示と、前記作業を識別できる識別情報とを対応させたリスト（例えば、リストＬＩである。）を出力するリスト出力手段と、
前記識別情報に対応し、かつ、前記作業が行われる前に入力され、前記作業に関連する情報を示す作業関連データ（例えば、作業関連データＤ２である。）を入力する作業関連データ入力手段と、
前記識別情報に対応させて、前記作業が行われる前に撮像される第１画像データ（例えば、第１画像データＩＭＧ１である。）を入力する第１画像データ入力手段と、
前記識別情報に対応させて、前記作業が行われた後に撮像される第２画像データ（例えば、第２画像データＩＭＧ２である。）を入力する第２画像データ入力手段と、
前記第２画像データを撮像する際に、前記第１画像データを表示する画像表示手段（例えば、撮像画面ＩＭＧＰＮである。）と
を含む。このような構成であると、第２画像データを撮像するのが容易となるため、建築現場における管理を容易にできる。
【００１８】
また、前記画像表示手段は、
前記第２画像データのプレビュー表示において、前記第１画像データを表示する（例えば、撮像画面ＩＭＧＰＮのように表示する。）のが望ましい。このような構成であると、第２画像データを第１画像データと同じように撮像するのを容易にできる。
【００１９】
また、情報処理システムは、前記第１画像データを表示する位置、大きさ、範囲又はこれらの組み合わせを設定する画像表示設定手段（例えば、設定ボタンＢＴＮＳである。）を更に含むのが望ましい。
【００２０】
また、情報処理システムは、前記第１画像データを表示するか否かを切り替える表示切替手段（例えば、表示切替ボタンＢＴＮＷである。）を更に含む。このような構成であると、第１画像データが表示されているとプレビューが見づらい場合等において、第１画像データを非表示とし、第２画像データの撮像を操作しやすくできる。
【００２１】
また、情報処理システムは、
前記第１画像データ又は前記第２画像データを複数入力して記憶する記憶手段（例えば、記憶装置１０１Ｈ２である。）と、
前記記憶手段が記憶する画像のうち、いずれかの画像を選択する選択手段（例えば、選択画面ＳＬＰＮである。）と
を更に含み、
前記画像表示手段は、
前記選択手段で選択される画像を表示するのが望ましい。このような構成であると、他の第１画像データ又は他の第２画像データ等といった様々な画像データを参照して第２画像データを撮像できる。
【００２２】
建築物における作業を管理するためのコンピュータに情報処理方法を実行させるためのプログラムは、
コンピュータが、前記建築物を示す建築用データを入力するデータ入力手順と、
コンピュータが、前記建築用データを画面上に出力する建築用データ出力手順と、
コンピュータが、前記建築用データが出力された画面上において、前記作業が行われる位置に、識別表示を出力する識別表示出力手順と、
コンピュータが、前記識別表示と、前記作業を識別できる識別情報とを対応させたリストを出力するリスト出力手順と、
コンピュータが、前記識別情報に対応し、かつ、前記作業が行われる前に入力され、前記作業に関連する情報を示す作業関連データを入力する作業関連データ入力手順と、
コンピュータが、前記識別情報に対応させて、前記作業が行われる前に撮像される第１画像データを入力する第１画像データ入力手順と、
コンピュータが、前記識別情報に対応させて、前記作業が行われた後に撮像される第２画像データを入力する第２画像データ入力手順と、
コンピュータが、前記第２画像データを撮像する際に、前記第１画像データを表示する画像表示手順と
を実行させる。
【発明の効果】
【００２３】
本発明に係る各実施形態によれば、建築現場における管理を容易にできる。
【図面の簡単な説明】
【００２４】
【図１】全体構成の一例を示す概念図である。
【図２】情報処理装置のハードウェア構成例を示すブロック図である。
【図３】サーバのハードウェア構成例を示すブロック図である。
【図４】建築用データの例を示す図である。
【図５】作業関連データの例を示す図である。
【図６】アイコン設定データの例を示す図である。
【図７】全体処理例を示すフローチャートである。
【図８】図面データの例を示す図である。
【図９】作業前データの入力例を示す図である。
【図１０】第１画像データの入力例を示す図である。
【図１１】作業後データの入力例を示す図である。
【図１２】作業が行われる前か後かで識別表示を異なるように出力する例を示す図である。
【図１３】比較する形式で作業関連データを出力する例を示す図である。
【図１４】機能構成例を示す機能ブロック図である。
【図１５】チェックシートの例を示す図である。
【図１６】複製例を示す図である。
【図１７】第２実施形態における全体処理例を示すフローチャートである。
【図１８】第１画像データの表示例を示す図である。
【図１９】画像表示手段の変形例（その１）を示す図である。
【図２０】画像表示手段の変形例（その２）を示す図である。
【図２１】画像表示手段の変形例（その３）を示す図である。
【発明を実施するための形態】
【００２５】
［第１実施形態］
以下、各実施形態の詳細について添付の図面を参照しながら説明する。なお、各実施形態に係る明細書及び図面の記載において実質的に同一の機能構成を有する構成要素については、同一の符号を付することにより重複した説明を省く。
【００２６】
本情報処理システムは、建築現場を管理するためのものであり、行われた作業を管理者が記録や管理を容易にするためのシステムである。
【００２７】
＜情報処理システムを含む全体構成例＞
図１は、全体構成の一例を示す概念図である。図示するように、情報処理システム１０は、例えば、情報処理装置１０１と、サーバ１０２とを有する全体構成である。図示するように、情報処理システム１０では、情報処理装置１０１と、サーバ１０２とは、無線又は有線のネットワークによって接続され、相互にデータを送受信することができる。
【００２８】
情報処理装置１０１は、管理者２０が有するタブレット、スマートフォン、モバイルＰＣ（Ｐｅｒｓｏｎａｌ  Ｃｏｍｐｕｔｅｒ）又はこれらの組み合わせ等である。
【００２９】
サーバ１０２は、サーバ、ＰＣ又はこれらの組み合わせ等である。
【００３０】
なお、全体構成は、図示するような構成に限られない。例えば、情報処理システム１０は、図示する以外の情報処理装置を更に有してもよい。一方で、情報処理装置１０１及びサーバ１０２は、１つの情報処理装置でもよい。
【００３１】
＜ハードウェア構成例＞
図２は、情報処理装置のハードウェア構成例を示すブロック図である。例えば、情報処理装置１０１は、図示するようなハードウェア構成である。
【００３２】
例えば、情報処理装置１０１は、ＣＰＵ（Ｃｅｎｔｒａｌ  Ｐｒｏｃｅｓｓｉｎｇ  Ｕｎｉｔ）１０１Ｈ１と、記憶装置１０１Ｈ２と、ネットワークインターフェース１０１Ｈ３と、入力装置１０１Ｈ４と、出力装置１０１Ｈ５と、撮像装置１０１Ｈ６と、ＧＰＳ（Ｇｌｏｂａｌ  Ｐｏｓｉｔｉｏｎｉｎｇ  Ｓｙｓｔｅｍ）受信器１０１Ｈ７とを有するハードウェア構成である。
【００３３】
ＣＰＵ１０１Ｈ１は、演算装置及び制御装置の例である。
【００３４】
記憶装置１０１Ｈ２は、メモリ等の主記憶装置である。なお、記憶装置１０１Ｈ２は、ハードディスク又はＳＳＤ（Ｓｏｌｉｄ  Ｓｔａｔｅ  Ｄｒｉｖｅ）等の補助記憶装置を更に有してもよい。
【００３５】
ネットワークインターフェース１０１Ｈ３は、有線、無線又はこれらの組み合わせによる通信によって、ネットワークを介して外部装置等とデータを送受信するインタフェースである。例えば、ネットワークインターフェース１０１Ｈ３は、アンテナ又はコネクタ等である。
【００３６】
入力装置１０１Ｈ４は、人による操作を入力するインタフェースとなる装置である。例えば、入力装置１０１Ｈ４は、キーボード、マウス又はこれらの組み合わせである。
【００３７】
出力装置１０１Ｈ５は、人に処理結果等を出力するインタフェースとなる装置である。例えば、出力装置１０１Ｈ５は、ディスプレイ等である。なお、出力装置１０１Ｈ５は、音声等を出力してもよい。
【００３８】
撮像装置１０１Ｈ６は、カメラ等である。したがって、人により、シャッタを切る操作が行われると、撮像装置１０１Ｈ６は、画像データを生成する。
【００３９】
ＧＰＳ受信器１０１Ｈ７は、情報処理装置１０１の位置を示す位置情報等を取得する。なお、ＧＰＳ受信器１０１Ｈ７は、取得する位置情報に対応する場所の名称等を出力してもよい。
【００４０】
なお、入力装置１０１Ｈ４及び出力装置１０１Ｈ５は、一体となるタッチパネル等でもよい。また、入力装置１０１Ｈ４及び出力装置１０１Ｈ５は、コネクタ等であって、外部装置とデータを送受信するインタフェースでもよい。また、撮像装置１０１Ｈ６及びＧＰＳ受信器１０１Ｈ７は、情報処理装置１０１と一体である必要はなく、別の装置であってもよい。
【００４１】
さらに、位置情報は、管理者等が入力できる構成でもよい。この場合では、情報処理装置１０１は、ＧＰＳ受信器１０１Ｈ７がないハードウェア構成でもよい。
【００４２】
なお、各情報処理装置のハードウェア構成は、異なる構成でもよい。また、各情報処理装置は、図示するハードウェア構成に限られない。例えば、情報処理装置は、演算装置又は記憶装置等のハードウェア資源を内部又は外部に更に有してもよい。
【００４３】
図３は、サーバのハードウェア構成例を示すブロック図である。
【００４４】
例えば、サーバ１０２は、ＣＰＵ１０２Ｈ１と、記憶装置１０２Ｈ２と、ネットワークインターフェース１０２Ｈ３と、入力装置１０２Ｈ４と、出力装置１０２Ｈ５とを有するハードウェア構成である。
【００４５】
ＣＰＵ１０２Ｈ１は、演算装置及び制御装置の例である。
【００４６】
記憶装置１０２Ｈ２は、メモリ等の主記憶装置である。なお、記憶装置１０２Ｈ２は、ハードディスク又はＳＳＤ等の補助記憶装置を更に有してもよい。
【００４７】
ネットワークインターフェース１０２Ｈ３は、有線、無線又はこれらの組み合わせによる通信によって、ネットワークを介して外部装置等とデータを送受信するインタフェースである。例えば、ネットワークインターフェース１０２Ｈ３は、アンテナ又はコネクタ等である。
【００４８】
入力装置１０２Ｈ４は、人による操作を入力するインタフェースとなる装置である。例えば、入力装置１０２Ｈ４は、キーボード、マウス又はこれらの組み合わせである。
【００４９】
出力装置１０２Ｈ５は、人に処理結果等を出力するインタフェースとなる装置である。例えば、出力装置１０２Ｈ５は、ディスプレイ等である。なお、出力装置１０２Ｈ５は、音声等を出力してもよい。
【００５０】
なお、入力装置１０２Ｈ４及び出力装置１０２Ｈ５は、一体となるタッチパネル等でもよい。また、入力装置１０２Ｈ４及び出力装置１０２Ｈ５は、コネクタ等であって、外部装置とデータを送受信するインタフェースでもよい。
【００５１】
なお、各情報処理装置のハードウェア構成は、異なる構成でもよい。また、各情報処理装置は、図示するハードウェア構成に限られない。例えば、情報処理装置は、演算装置又は記憶装置等のハードウェア資源を内部又は外部に更に有してもよい。
【００５２】
＜データ構成例＞
図４は、建築用データの例を示す図である。例えば、サーバ１０２は、図示するような建築現場で建築される建築物を示す図面データ、「図面上位置データ」及び「場所データ」等を含むデータ（以下「建築用データＤ１」という。）を入力する。図面データの詳細は、後述する。
【００５３】
具体的には、「図面上位置データ」は、図面における位置を識別できる番号等である。また、「場所データ」は、図示するように、建築現場の名称等を示し、作業が行われる場所を説明できるデータである。このような建築用データＤ１及び以下に説明するアイコン設定データＤ３等があると、図面データに基づいて表示される画面上に、アイコンを配置して、作業が行われる場所が、表示可能となる。
【００５４】
図５は、作業関連データの例を示す図である。例えば、サーバ１０２は、図示するような建築現場で行われるそれぞれの作業の内容を示すデータ等（以下「作業関連データＤ２」という。）を入力する。
【００５５】
具体的には、「図面上位置データ」及び「場所データ」は、建築用データＤ１のデータと同様の内容を示し、作業関連データＤ２のデータと、建築用データＤ１のデータとは、対応する。
【００５６】
「作業の内容」、「担当者名」、「確認者」、「完成予定日」及び「完了日」は、それぞれの作業の内容を示す項目の例である。図示する例では、「作業の内容」には、作業の対象物が入力される。また、「担当者名」には、作業を行う者の氏名等が入力される。同様に、「確認者」には、作業の終了後、確認を行う者の氏名等が入力される。また、「完成予定日」には、作業が完了する予定の日時があらかじめ入力される。さらに、「完了日」には、実際に作業が完了した日時が入力される。
【００５７】
図６は、アイコン設定データの例を示す図である。例えば、サーバ１０２は、図示するような画面上にアイコンを表示するための設定を示すデータ等（以下「アイコン設定データＤ３」という。）を入力する。
【００５８】
具体的には、「アイコンＮｏ．」は、それぞれのアイコンを識別するための番号等である。「図面上位置データ」及び「場所データ」は、建築用データＤ１のデータと同様の内容を示し、作業関連データＤ２及び建築用データＤ１等のデータと、対応する。「画像データ」は、それぞれの作業の内容を示す画像データである。「日時」は、「画像データ」が撮像された日時等を示す。「コメント」は、例えば、管理者等がメモを入力できる項目である。
【００５９】
＜全体処理例＞
図７は、全体処理例を示すフローチャートである。以下、図示するように、まず、「準備」となる手順が行われる。そして、「準備」となる各手順が行われた後、「運用」となる手順が行われる。
【００６０】
＜建築用データ等の入力例＞（ステップＳ０１）
ステップＳ０１では、情報処理装置１０１は、建築用データ等を入力するデータ入力ステップを行う。例えば、ステップＳ０１では、図４に示すような形式のデータと、ＣＡＤ（Ｃｏｍｐｕｔｅｒ  Ａｉｄｅｄ  Ｄｅｓｉｇｎ）データの形式で入力される図面データ等がそれぞれ入力される。具体的には、ステップＳ０１では、図４に示すようなデータの他に、以下のような図面データが更に入力される。すなわち、図面データ及び図４に示すような形式のデータ等によって、建築用データは構成される。
【００６１】
図８は、図面データの例を示す図である。図示する例は、建築物３０の１フロア分を示す図面データの例である。すなわち、図示するように、建築物３０は、例えば、１フロアごと、図面データが入力される。このように、図面データが入力されると、情報処理装置１０１は、図示するように、建築物３０の内部を示す図面を表示したり、又は、表示する図面上に様々な情報を重ねて表示したりすることが可能となる。
【００６２】
以上のようにして「準備」となる各手順が行われる。なお、「準備」の各手順は、図示する以外の処理が更に行われてもよい。続いて、「準備」の各手順が終了すると、「運用」の各手順が例えば以下のように行われる。また、以下の例は、建築用データＤ１及び作業関連データＤ２等のデータが「準備」であらかじめ入力され、「運用」が行われると、アイコン設定データＤ３が生成される例である。
【００６３】
以下、「運用」に係る手順の一例を説明する。なお、「運用」における手順は、管理者が行う「作業」の前に行われる「作業前」の手順と、「作業」の後に行われる「作業後」の手順とに分かれる。まず、「作業前」の手順から説明する。
【００６４】
＜位置情報の取得例＞（ステップＳ０２）
ステップＳ０２では、情報処理装置１０１は、位置情報を取得する位置情報取得ステップを行う。位置情報取得ステップによって取得される位置情報は、例えば、ＧＰＳ等によって取得できる座標を示すデータ等である。すなわち、位置情報があると、現在位置が特定できる。
【００６５】
＜時刻データの取得例＞（ステップＳ０３）
ステップＳ０３では、情報処理装置１０１は、時刻データを取得する。図示するように、「作業前」等に、時刻データを取得できるのが望ましい。時刻データは、「作業前」の時点を示す時刻等を示すデータである。また、「作業後」も時刻データが取得されるとすると、時刻データに基づいて、情報処理装置１０１は、「作業前」及び「作業後」に入力されたデータのうち、どのデータが「作業前」のデータであるか、又は、「作業後」のデータであるか等が判断できる。
【００６６】
さらに、「作業前」及び「作業後」のどちらでも時刻データが取得され、かつ、「作業前」、「作業」及び「作業後」が、時間経過においてほぼ連続しているとすると、時刻データに基づいて、各データがどの「作業」に対応するかが判断できる。つまり、連続した時刻データであったり、近しい時刻を示す時刻データであったりすれば、「作業前」及び「作業後」に入力されたデータは、同一の「作業」に対応する可能性が高い。このように、時刻データによって、各データが「作業」に対応付けされてもよい。
【００６７】
＜作業前データの入力例＞（ステップＳ０４）
ステップＳ０４では、情報処理装置１０１は、作業前データを入力する。以下、「作業前」に入力され、かつ、「作業」に対応付けされるデータを「作業前データ」という。作業前データは、例えば、以下のように入力される。また、作業前データは、作業に関連する情報を示し、「作業前」に入力される作業関連データの一例である。
【００６８】
図９は、作業前データの入力例を示す図である。まず、ステップＳ０１で建築用データが入力されると、情報処理装置１０１は、図示するように、建築物３０を示す図面等を画面ＰＬ上に出力する（図示する例では、図の上半分が相当する。）出力ステップを行うことができる。
【００６９】
出力ステップが行われた後、図示するように、図面等が出力された画面上には、識別表示の例であるアイコンＩＣＮ１が出力される。例えば、アイコンＩＣＮ１は、管理者が画面上をタップすると、出力する位置が定まる。アイコンＩＣＮ１は、作業が行われる位置を示すように出力される。このように、情報処理装置１０１は、作業が行われる位置を示すアイコンＩＣＮ１を図面等の上に出力する識別表示出力ステップを行う。
【００７０】
次に、情報処理装置１０１は、図示するように、識別表示と、作業を識別できる識別情報ＩＮＦＲとを対応させたリストＬＩを出力するリスト出力ステップを行う。図示する例では、リスト出力ステップは、画面ＰＬ上で、リストＬＩを出力することに相当する。
【００７１】
リストＬＩにおける「識別情報」は、各作業を識別できる識別情報の例である。具体的には、図示するように、「識別情報」は、例えば、「１、２、３・・・」のように、連続した番号等である。
【００７２】
図示するように、リストＬＩは、識別情報ＩＮＦＲと、アイコンＩＣＮ１が有する識別表示番号ＮＵＭとを対応させて出力される。図示する例は、「識別情報」が示す識別番号の「１」と、識別表示番号ＮＵＭである「（１）」とを同じ番号にすることで、識別表示と、識別情報とを対応させる例である。このような対応付けがされていると、識別表示番号ＮＵＭで特定される作業が、どのような作業関連データに対応しているか、すなわち、リストＬＩ上のどの「識別情報」であるかが分かりやすく、作業の管理が容易となる。
【００７３】
また、図示する例では、「位置情報」、「作業の内容」、「業者名」及び「完了予定日」等が作業前データとなる例である。
【００７４】
「位置情報」には、図示するように作業が行われる建築物の名称、部屋の名称及びエリア等が入力される。
【００７５】
「作業の内容」には、作業の内容、作業方法、対象となる場所で発生している不具合の内容又は指摘事項等が入力される。
【００７６】
「業者名」には、作業を行う者の所属する組織名等が入力される。
【００７７】
「完了予定日」には、作業が完了する予定の日程等が入力される。
【００７８】
なお、作業前データは、図示するような項目数、項目名及び順序でなくともよい。
【００７９】
また、ステップＳ０４では、情報処理装置１０１は、図示するような画面を出力する等によって、管理者に作業前データを入力させる作業関連データ入力ステップを行う。作業関連データ入力ステップは、図示するように、管理者がタップして各項目を入力してもよいし、取得するデータ等に基づいて作業関連データが入力されてもよい。例えば、「位置情報」は、ステップＳ０２で取得される位置情報が入力されてもよい。一方で、「位置情報」には、管理者が名称等を文字で入力してもよい。
【００８０】
また、作業前データとして、以下のように画像データが入力されるのが望ましい。
【００８１】
図１０は、第１画像データの入力例を示す図である。例えば、「作業前」では、図示するようなＧＵＩ（Ｇｒａｐｈｉｃａｌ  Ｕｓｅｒ  Ｉｎｔｅｒｆａｃｅ）等によって画像データを入力する画像データ入力ステップが行われる。なお、以下、「作業前」に入力される画像データを「第１画像データＩＭＧ１」という。一方で、「作業後」に入力される画像データを「第２画像データＩＭＧ２」という。
【００８２】
図１０（Ａ）は、撮像前のＧＵＩを示す。例えば、図示するように、入力されるのが作業前データであることを設定するため、作業前ボタンＢＮ１が表示される。すなわち、作業前ボタンＢＮ１が押されると、ボタン押下後に入力されるデータは、作業前データであると認識される。
【００８３】
そして、図１０（Ａ）の画面でカメラ起動ボタンＢＮ２が押されるとカメラが起動し、所定のシャッタボタンが操作されたことに基づいて、図示するように、第１画像データＩＭＧ１が撮像される。第１画像データＩＭＧ１は、例えば、作業が行われる前の対象物の状態を示す画像データである。すなわち、第１画像データＩＭＧ１があると、作業によって対象物がどのように変化したか等が判断できる。したがって、第１画像データＩＭＧ１は、作業が行われたか否か、及び、作業が正しい内容であるか否か等を判断するのに証拠となるデータである。
【００８４】
なお、撮影する際にその場所で既に撮影した第１画像データＩＭＧ１を表示するようにしてもよい。すなわち、作業対象となる箇所を撮影するためにカメラを起動してカメラフレームが表示された状態で、作業前の第１画像データＩＭＧ１をカメラフレームと並べて表示するようにすることにより、カメラのアングルを作業前と作業後で同じようにすることができるので好ましい。また、作業対象の箇所もわかりやすいので好ましい。
【００８５】
次に、撮像後、追加ボタンＢＮ３が押されると、例えば、図１０（Ａ）に示す画面は、図１０（Ｂ）のような画面に遷移する。そして、追加ボタンＢＮ３が押されると、図示するように第１画像データＩＭＧ１が保存される。
【００８６】
図１０（Ｂ）は、第１画像データＩＭＧ１を保存した画面の例を示す図である。なお、保存の際には、画像以外のデータが入力されてもよい。例えば、図１０（Ｂ）に示す画面では、テキストボックスＴＸに、テキストが入力できる。このテキストボックスＴＸには、例えば、作業に関するメモ等が管理者によって入力される。このように入力されるデータは、第１画像データＩＭＧ１と一緒に保存される。
【００８７】
上記のように、カメラ起動ボタンＢＮ２、シャッタボタン及び追加ボタンＢＮ３による操作に基づいて、画像データが入力された際には、画像データが第１画像データであるか、又は、第２画像データであるかを判定する判定ステップが行われるのが望ましい。判定ステップは、例えば、作業前ボタンＢＮ１による設定等に基づいて行われる。図示する例では、図１０（Ａ）に示すように、作業前ボタンＢＮ１が押された状態で、画像データが入力される。このような場合には、情報処理装置１０１は、画像データが第１画像データ、すなわち、「作業前」に撮像された画像データであると判定する。そして、図１０（Ｂ）に示す例では、情報処理装置１０１は、判定の結果、作業前データＤＪ１であると表示する。
【００８８】
また、情報処理装置１０１は、第１画像データ及び第２画像データのそれぞれの枚数を出力するデータ数出力ステップを行うのが望ましい。図示する例では、図１０（Ａ）の状態では、第１画像データ及び第２画像データのいずれも枚数は、「０  枚」である。一方で、図１０（Ｂ）のように、撮像後は、第１画像データが「１  枚」増えた状態となる。そして、データ数出力ステップにより、第１画像データのカウント数ＣＮＴ１が出力される。具体的には、図１０（Ｂ）における「１  枚」等のように、カウント数ＣＮＴ１が出力される。このようにすると、第１画像データ及び第２画像データのそれぞれの枚数が容易に把握できる。
【００８９】
続いて、情報処理装置１０１は、画像データ入力ステップでは、第１画像データＩＭＧ１を識別情報に対応させる。図示する例では、識別情報「１」に対応させて、第１画像データＩＭＧ１が入力される。なお、第１画像データＩＭＧ１を撮像する際に、位置情報等に基づいて第１画像データＩＭＧ１が識別情報に対応付けされてもよい。すなわち、同じ位置で行われる作業と、同じ位置で撮像された画像データとは、同じ作業に対応する可能性が高い。したがって、同じ位置で行われた作業と、画像データとを対応させて、リストに画像データが入力されてもよい。
【００９０】
ステップＳ０４と、ステップＳ０５との間で、「作業」が行われるとする。すなわち、ステップＳ０５以降の処理は、「作業」が完了すると、行われる処理である。
【００９１】
＜作業後データの入力例＞（ステップＳ０５）
ステップＳ０５では、情報処理装置１０１は、作業後データを入力する。以下、「作業後」に「作業」対応付けられ、入力されるデータを「作業後データ」という。作業後データは、例えば、以下のように入力される。また、作業後データは、作業に関連する情報を示し、「作業後」に入力される作業関連データの一例である。
【００９２】
図１１は、作業後データの入力例を示す図である。例えば、作業後データは、作業前データと同様に、作業後ボタンＢＮ４によって設定される。
【００９３】
具体的には、図示するように、入力されるのが作業後データであることを設定するため、作業後ボタンＢＮ４が表示される。すなわち、作業後ボタンＢＮ４が押されると、ボタン押下後に入力されるデータは、作業後データであると認識される。
【００９４】
作業後データは、作業前データと同様にテキスト等が入力されてもよい。
【００９５】
また、図示するように、作業後データとして第２画像データＩＭＧ２が入力されるのが望ましい。例えば、第１画像データと同様に、画像入力ステップにおいて、第２画像データＩＭＧ２は、カメラ起動ボタンＢＮ２、シャッタボタン及び追加ボタンＢＮ３による操作に基づいて撮像されて入力される。このように、第２画像データＩＭＧ２があると、管理者は、作業の前後でどのような変化があったか等が、画像を比較することで容易に把握することができる。
【００９６】
また、画像データが入力された際には、画像データが第１画像データであるか、又は、第２画像データであるかを判定する判定ステップが行われるのが望ましい。判定ステップは、例えば、作業後ボタンＢＮ４による設定等に基づいて行われる。図示する例では、作業後ボタンＢＮ４が押された状態で、画像データが入力される。このような場合には、情報処理装置１０１は、画像データが第２画像データ、すなわち、「作業後」に撮像された画像データであると判定する。そして、図示する例では、情報処理装置１０１は、判定の結果、作業後データＤＪ２であると表示する。
【００９７】
また、情報処理装置１０１は、第１画像データと同様に、第２画像データの枚数を出力するデータ数出力ステップを行うのが望ましい。図示する例では、図１０（Ｂ）の後から、第２画像データが「１  枚」増えた状態となる。そして、データ数出力ステップにより、第２画像データのカウント数ＣＮＴ２が出力される。具体的には、図示するように、「１  枚」等のようにカウント数ＣＮＴ２が出力される。このようにすると、第１画像データ及び第２画像データのそれぞれの枚数が容易に把握できる。
【００９８】
図示するように、判定ステップにより、第１画像データＩＭＧ１と、第２画像データＩＭＧ２とは、区別されて登録されるのが望ましい。すなわち、作業前データと、作業後データとは区別できるようにリスト等に登録されるのが望ましい。作業前データと、作業後データとは、似たような内容を含む場合も多いため、混在すると、後で区別するのが難しい場合もある。そこで、図示するように、ラベリング等によって、「作業前」を示すデータであるか、「作業後」を示すデータであるかが区別されているのが望ましい。
【００９９】
なお、判定結果に基づいて、チェック等が行われてもよい。例えば、作業前データを作業後データで上書きするような操作が行われた場合には、情報処理装置１０１は、アラームを出したり、メッセージを表示したりしてもよい。
【０１００】
続いて、情報処理装置１０１は、第１画像データと同様に、画像データ入力ステップでは、第２画像データＩＭＧ２を識別情報に対応させる。図示する例では、識別情報「１」に対応させて、第２画像データＩＭＧ２が入力される。
【０１０１】
＜出力例＞（ステップＳ０６）
ステップＳ０６では、情報処理装置１０１は、入力された作業前データ及び作業後データ等を出力する出力ステップを行う。まず、情報処理装置１０１は、例えば、図９のように、識別情報と、識別表示とを同一の番号を付すようにすることで対応させたリストを出力するリスト出力ステップ等を行う。ほかにも、情報処理装置１０１は、図９のように、識別表示を出力する識別表示出力ステップ等を行う。なお、作業が複数ある場合には、情報処理装置１０１は、ステップＳ０６の後、ステップＳ０２にループするようにして、作業ごとにステップＳ０２乃至ステップＳ０６の処理を行ってもよい。
【０１０２】
さらに、情報処理装置１０１は、例えば、以下のように、作業が行われる前か後かによって、識別表示を異ならせて出力するのが望ましい。
【０１０３】
図１２は、作業が行われる前か後かで識別表示を異なるように出力する例を示す図である。図１２（Ａ）は、「作業前」の状態で出力される画面の例を示す。一方で、図１２（Ｂ）は、「作業後」の状態で出力される画面の例を示す。
【０１０４】
図１２（Ａ）と、図１２（Ｂ）とでは、アイコンＩＣＮ１を表示する色が異なる。すなわち、「作業前」であるか、「作業後」であるかによって、アイコンＩＣＮ１は、区別できるように出力されるのが望ましい。
【０１０５】
なお、アイコンＩＣＮ１は、色以外の方法で異なるように出力されてもよい。例えば、作業が行われる前か後かによって、アイコンＩＣＮ１は、グレーアウト、点滅の有無、形状が異なる、又は、透明度が異なる等のように出力されてもよい。すなわち、アイコンＩＣＮ１が「作業前」であるか「作業後」であるかを管理者が見て分かりやすい表示であれば、出力方法は、色に限られない。
【０１０６】
図示する例では、アイコンＩＣＮ１は、「作業前」及び「作業後」のいずれでも、識別情報「１」に対応する作業を示す。このように、「作業前」であるか「作業後」であるかによって、アイコンＩＣＮ１が異なると、管理者は、どこの作業がまだ作業がされていない状態であるかを見つけやすい。
【０１０７】
ほかにも、情報処理装置１０１は、「作業前」及び「作業後」を比較する形式で作業関連データ等を出力してもよい。具体的には、情報処理装置１０１は、以下のような出力をしてもよい。
【０１０８】
図１３は、比較する形式で作業関連データを出力する例を示す図である。図示する例では、「作業前」の列には、作業前データが出力される。一方で、「作業後」の列には、作業後データが出力される。また、図示するように、「作業前」及び「作業後」のいずれの作業関連データも、識別情報に対応するリスト形式で出力されるのが望ましい。このような形式で出力がされると、「作業前」及び「作業後」の作業関連データを比較しやすい。
【０１０９】
＜機能構成例＞
図１４は、機能構成例を示す機能ブロック図である。例えば、情報処理システム１０は、図示するように、データ入力手段１０Ｆ１と、建築用データ出力手段１０Ｆ２と、識別表示出力手段１０Ｆ３と、リスト出力手段１０Ｆ４と、作業関連データ入力手段１０Ｆ５とを含む機能構成である。また、情報処理システム１０は、図示するように、画像データ入力手段１０Ｆ６と、判定手段１０Ｆ７と、データ数出力手段１０Ｆ８と、記憶手段１０Ｆ９とを更に含む機能構成であるのが望ましい。以下、図示する機能構成の場合を例に説明する。
【０１１０】
データ入力手段１０Ｆ１は、建築用データＤ１を入力する建築用データ入力ステップを行う。例えば、データ入力手段１０Ｆ１は、ネットワークインターフェース１０１Ｈ３又は入力装置１０１Ｈ４等によって実現される。
【０１１１】
建築用データ出力手段１０Ｆ２は、例えば、データ入力手段１０Ｆ１が入力する建築用データＤ１に含まれる図面データ等に基づいて、画面等を出力する建築用データ出力ステップを行う。例えば、建築用データ出力手段１０Ｆ２は、出力装置１０１Ｈ５等によって実現される。
【０１１２】
識別表示出力手段１０Ｆ３は、建築用データＤ１に基づいて出力された図面等が表示された画面上において、作業が行われる位置に、アイコン等の識別表示を出力する識別表示出力ステップを行う。また、図示する例では、識別表示出力手段１０Ｆ３は、アイコンが識別表示番号ＮＵＭを有する。例えば、識別表示出力手段１０Ｆ３は、出力装置１０１Ｈ５等によって実現される。
【０１１３】
リスト出力手段１０Ｆ４は、識別表示と、識別情報とを識別表示番号ＮＵＭによって対応させたリストを出力するリスト出力ステップを行う。例えば、リスト出力手段１０Ｆ４は、出力装置１０１Ｈ５等によって実現される。
【０１１４】
作業関連データ入力手段１０Ｆ５は、識別情報に対応し、かつ、作業が行われる前に入力される作業に関連する情報を示す作業関連データＤ２を入力する作業関連データ入力ステップを行う。例えば、作業関連データ入力手段１０Ｆ５は、ネットワークインターフェース１０１Ｈ３又は入力装置１０１Ｈ４等によって実現される。
【０１１５】
画像データ入力手段１０Ｆ６は、識別情報に対応させて、第１画像データＩＭＧ１及び第２画像データＩＭＧ２を入力する画像データ入力ステップを行う。例えば、画像データ入力手段１０Ｆ６は、ネットワークインターフェース１０１Ｈ３又は入力装置１０１Ｈ４等によって実現される。
【０１１６】
判定手段１０Ｆ７は、画像データ入力手段１０Ｆ６によって入力される画像データが、第１画像データＩＭＧ１又は第２画像データＩＭＧ２のどちらであるかを判定する判定ステップを行う。例えば、判定手段１０Ｆ７は、ＣＰＵ１０１Ｈ１等によって実現される。
【０１１７】
データ数出力手段１０Ｆ８は、判定手段１０Ｆ７による判定結果に基づいて、第１画像データＩＭＧ１及び第２画像データＩＭＧ２のそれぞれの数を出力するデータ数出力ステップを行う。例えば、データ数出力手段１０Ｆ８は、出力装置１０１Ｈ５等によって実現される。
【０１１８】
記憶手段１０Ｆ９は、入力されたデータを記憶する。例えば、記憶手段１０Ｆ９は、記憶装置１０１Ｈ２等によって実現される。
【０１１９】
＜まとめ＞
建築用データＤ１等がデータ入力手段１０Ｆ１によって入力されると、情報処理システム１０は、建築用データ出力手段１０Ｆ２によって、画面上に、建築物を示す図面等を表示できる。そして、例えば、画面ＰＬ等のように、管理者の操作等によって指定される作業が行われる位置に、識別表示出力手段１０Ｆ３は、識別表示を出力する。そして、例えば、識別表示には、識別表示番号等が付けられる。
【０１２０】
一方で、作業関連データ入力手段１０Ｆ５によって作業関連データＤ２が入力される。そして、識別表示と、作業関連データＤ２とは、番号等によって対応付けされ、リスト出力手段１０Ｆ４によって、例えば、画面ＰＬ上等に、リストＬＩで出力される。
【０１２１】
以上のように、作業関連データＤ２が、番号等により、識別表示と対応付けされると、管理者等は、作業関連データＤ２がどの作業と対応するか容易に把握できる。従来の方法では、作業と、管理用に入力される作業関連データＤ２とが対応付けされていないため、各データがどの作業を指しているか不明な場合等があり、対応している作業を確認する等の手間が発生し、管理の負荷が大きかった。一方で、本実施形態であると、作業と、作業関連データＤ２とが紐付けできるため、画面上に表示されている作業と、リスト上の作業の対応付けが容易にできる。ゆえに、建築現場における作業等の管理を容易にすることができる。
【０１２２】
［その他の実施形態］
情報処理装置１０１は、例えば、リスト出力ステップによって、以下のような形式で出力を行ってもよい。
【０１２３】
図１５は、チェックシートの例を示す図である。例えば、リスト出力ステップによって、図示するようなチェックシート形式で作業関連データは、出力される。なお、チェックシートは、図１５（Ａ）及び図１５（Ｂ）のように、工程管理、出来形管理及び品質管理等がしやすい形式が望ましい。また、チェックシートは、図１５（Ｂ）のように、写真管理がしやすい形式でもよい。
【０１２４】
図示するように、チェックシートに用いる項目は、例えば、「画像名」、「作業名」、「対象物の名称」、「計測項目」、「（作業後の）実測値」及び「設計値」等である。
【０１２５】
具体的には、「画像名」は、作業の対象となる対象物を示す画像のファイル名等である。
【０１２６】
「作業名」は、対象物に対して行われる作業の名称である。
【０１２７】
「対象物の名称」は、作業の対象となる対象物の名称等である。「対象物の名称」には、対象物の識別番号等が用いられてもよい。
【０１２８】
「計測項目」は、作業後の対象物が計測される項目名等である。例えば、対象物の長さが作業によって変わる場合には、対象物の長さ等が「計測項目」となる。
【０１２９】
「（作業後の）実測値」は、作業後に、対象物を「計測項目」について計測した結果である。
【０１３０】
「設計値」は、作業によって変える対象物の値等である。つまり、作業は、「設計値」になるように行われる。
【０１３１】
以上のような項目があると、工程管理、出来形管理及び品質管理等が行いやすい。例えば、「設計値」と、「（作業後の）実測値」とを比較すると、作業が正しく行われたか等の品質を管理できる。また、「計測項目」、「設計値」及び「（作業後の）実測値」等があると、出来形管理が行いやすい。
【０１３２】
なお、チェックシートの項目は、図示する項目でなくてもよい。例えば、国又は地方自治体によるガイドライン等で設けるように指定されている項目がチェックシートにあるのが望ましい。すなわち、チェックシートは、国又は地方自治体等に提出できる形式で作成されるのが望ましい。ほかにも、ガイドライン等によって、アローダイヤグラム、ガントチャート、ネットワーク又はバーチャート方式の図等が求められる場合には、情報処理装置１０１は、これらの図を作成して出力してもよい。
【０１３３】
このように、ガイドライン等を満たす形式でチェックシート等がリスト出力ステップによって出力できると、管理者等が、国又は地方自治体等の公的機関等に提出する書面を作成する負荷を軽減できる。なお、情報処理システム１０には、チェックシートが作成された際に、記載された内容を承認するため、「承認」用のボタン等といったＧＵＩを出力してもよい。
【０１３４】
＜複製例＞
情報処理装置１０１は、作業関連データ等を複製する処理を行ってもよい。例えば、ステップＳ０６までの処理が行われる、又は、ステップＳ０４までの処理が行われると、以下のような画面が表示される。
【０１３５】
図１６は、複製例を示す図である。例えば、図１６（Ａ）に示すように、３つの作業を示す識別表示が出力されるとする。具体的には、識別情報「１」に対応する作業が行われる位置に、アイコンＩＣＮ１が出力される。さらに、この例では、識別情報「２」に対応する作業が行われる位置に、アイコンＩＣＮ２が出力される。同様に、この例では、識別情報「３」に対応する作業が行われる位置に、アイコンＩＣＮ３が出力される。
【０１３６】
図示するように、アイコンＩＣＮ１は、アイコン番号Ｎ１が「（１）」であるため、識別情報「１」に対応する。同様に、アイコンＩＣＮ２は、アイコン番号Ｎ２が「（２）」であるため、識別情報「２」に対応する。さらに、アイコンＩＣＮ３は、アイコン番号Ｎ３が「（３）」であるため、識別情報「３」に対応する。
【０１３７】
以下、アイコンＩＣＮ１を複製する場合を例に説明する。例えば、アイコンＩＣＮ１をタップする操作が、アイコンＩＣＮ１を複製する操作であるとする。このように、識別表示に基づく複製を行う操作（以下「複製操作」という。）が入力されると、画面は、例えば、図１６（Ａ）から図１６（Ｂ）に遷移する。したがって、複製操作は、ステップＳ０６からループしてステップＳ０２が行われる場合等に、ステップＳ０２が行われる前等のタイミングで行われる。
【０１３８】
図１６（Ｂ）は、複製操作が入力された後の画面を示す図である。図１６（Ａ）と比較すると、アイコンＩＣＮ１Ｃが複製によって増え、識別表示が、３つから４つになる点が異なる。なお、アイコンＩＣＮ１Ｃのように、複製によって生成される識別表示を「複製識別表示」という。
【０１３９】
まず、複製操作が管理者等によって行われると、情報処理装置１０１は、複製識別表示を更に出力する識別表示出力ステップを行う。そして、情報処理装置１０１は、コピー元となるアイコンＩＣＮ１に対応する作業関連データを複製し、リストに加える。なお、複製でリストに追加される作業関連データは、あらかじめ設定される所定の項目についてであるのが望ましい。
【０１４０】
具体的には、例えば、図１６（Ｂ）に示すように、複製によって、リストには、識別情報が「２」の作業関連データが追加される。図示する例では、「業者名」、「完了予定日」及び「完了日」等の項目の作業関連データは、複製されて生成される。したがって、図示するように、「業者名」、「完了予定日」及び「完了日」等の項目に入力されている作業関連データは、識別情報が「２」の所定項目データＰＡ１は、識別情報が「１」のデータと同一である。
【０１４１】
一方で、図示する例では、「作業の内容」、「第１画像データ」及び「第２画像データ」等の所定外項目データＰＡ２は、コピー元のデータが複製されない。例えば、図示する例では、所定外項目データＰＡ２は、複製せず、何もデータが入力されていない、空欄の状態である。
【０１４２】
なお、所定項目データＰＡ１がどのような種類の項目であるかは、あらかじめ設定できる。したがって、所定項目データＰＡ１は、図示するような項目以外であってもよい。また、所定項目データＰＡ１でなく、所定外項目データＰＡ２とする項目が設定できてもよい。図示するように、複製操作が入力されると、リストにおいても、作業関連データが複製されるのが望ましい。このような構成であると、作業関連データを最初から入力するのと比較すると、管理者の負荷を少なくできる。一方で、所定外項目データＰＡ２のように、写真及び自由記入欄等は、複製識別表示について改めて異なるデータを入力する場合が多いため、図示するように、空欄等となるように複製されると、コピー元のデータを削除する手間等が省ける。
【０１４３】
さらに、複製操作による複製識別表示を追加する場合には、例えば、図示するように、コピー元の次に割り込むようにリストが作り直されるのが望ましい。すなわち、図１６（Ｂ）に示す例では、アイコンＩＣＮ１Ｃは、末尾に追加されるのではなく、アイコンＩＣＮ１Ｃの次となる、識別情報が「２」に対応するように複製される。なお、複製によって生成される識別情報を「複製識別情報」という場合がある。そして、複製操作が行われる前までは、識別情報が「２」であった作業関連データは、図示するように、識別情報が「３」となるように繰り下げられる。同様に、複製操作が行われる前までは、識別情報が「３」であった作業関連データは、図示するように、識別情報が「４」となるように繰り下げられる。すなわち、このような繰り下げに対応するように、識別情報が振り直されるのが望ましい。
【０１４４】
具体的には、複製操作が行われる前、すなわち、図１６（Ａ）では、アイコンＩＣＮ１が識別情報の「１」の作業関連データに対応する。同様に、複製操作が行われる前では、アイコンＩＣＮ２が識別情報の「２」の作業関連データに対応し、アイコンＩＣＮ３が識別情報の「３」の作業関連データに対応する。
【０１４５】
一方で、複製操作が行われた後、すなわち、図１６（Ｂ）では、アイコンＩＣＮ２が識別情報の「３」の作業関連データに対応し、アイコンＩＣＮ３が識別情報の「４」の作業関連データに対応する。
【０１４６】
また、図示するように、アイコンＩＣＮ２のアイコン番号Ｎ２は、「（２）」から振り直されて、アイコン番号Ｎ２Ａとされる。図示するように、アイコン番号Ｎ２Ａは、アイコン番号Ｎ２の次の番号となる「（３）」となる。したがって、アイコン番号Ｎ２Ａは、複製操作が行われた後のリストにも対応する。
【０１４７】
同様に、アイコンＩＣＮ３のアイコン番号Ｎ３は、「（３）」から振り直されて、アイコン番号Ｎ３Ａとされる。図示するように、アイコン番号Ｎ３Ａは、アイコン番号Ｎ３の次の番号となる「（４）」となる。したがって、アイコン番号Ｎ３Ａは、複製操作が行われた後のリストにも対応する。
【０１４８】
すなわち、識別情報が複製操作の前は、「１、２、３、・・・、Ｎ」であったのが、複製操作によって「１」が複製され、複製識別情報は、「２」となる。その結果、複製操作の後、識別情報は、順に「１、（複製された）１、２、３、・・・、Ｎ」となる。そこで、複製識別情報を含む識別情報を振り直し、識別情報が「１、２、３、４、・・・、Ｎ＋１」となるようにする。このように、情報処理装置１０１は、割り込ませた識別情報より後の識別情報を繰り下げるようにする識別情報の振り直しを行うのが望ましい。
【０１４９】
このような振り直しがされると、複製操作によって、似たような作業又は関連する作業等を近しい識別情報で管理するのが容易となる。例えば、末尾に追加される形式であると、末尾に追加された作業関連データを割り込ませるには、同一の番号が重複して使用されないように、他のデータを繰り下げる等の手間が発生する。一方で、本実施形態とすると、他のデータを繰り下げる等の手間を省くことができる。
【０１５０】
なお、識別情報の振り直し方法は、上記のように、割り込ませる方法に限られない。例えば、識別情報の振り直し方法は、いわゆる枝番等の形式でもよい。具体的には、上記の例は、識別情報が「１」のデータをコピー元とした場合には、複製識別情報を「コピー元＋１」とする形式で複製する例である。これに対して、例えば、識別情報が「１」であるデータをコピー元とした場合には、情報処理装置１０１は、複製識別情報を「１．１」等のように枝番を発生させるとしてもよい。
【０１５１】
また、識別情報及び枝番は、例えば、（「ア」、「イ」、「ウ」、・・・・）又は（「Ａ」、「Ｂ」、「Ｃ」、・・・・）等のような文字形式であってもよい。
【０１５２】
また、複製操作によってコピーが作成される位置は、コピー元のアイコンが表示された位置の近傍に表示されるようにしてもよい。これによれば、コピーしたアイコンに対してすぐ入力操作等を行うことができる。また、これに限らず、コピー元のアイコンが表示されている位置と別の位置、例えば隣の場所（エリア）や図面外に複製してもよい。これによれば、コピーしたアイコンの位置を誤ってそのまま放置してしまって間違った指摘になってしまうことを防止できる。
【０１５３】
＜建築用データについて＞
建築用データは、上記に示すようなデータ構造及び形式でなくともよい。すなわち、建築用データは、図面データ及び図４に示すデータの組み合わせでなくともよい。また、建築用データは、上記のように複数のデータの組み合わせでもよいし、１つのデータでもよい。
【０１５４】
例えば、図面データは、写真等が取り込まれたデータでもよい。すなわち、建築用データには、建築物の内部等が分かるデータがあればよく、建築物の内部等を示すデータのデータ形式は、ＣＡＤデータの形式等の図面データでなくともよい。したがって、図面データは、画像データの形式等でもよい。なお、図面データは、２Ｄ、３Ｄ又はこれらの組み合わせでもよい。
【０１５５】
また、入力された図面データは、変換されてもよい。例えば、図面以外の形式でデータが入力された場合には、データの入力後、後段の出力を行う処理で、図面が画面上に表示できるようにデータは変換される。すなわち、情報処理装置１０１は、入力されるデータを図面として出力できる形式に変換してもよい。
【０１５６】
具体的には、例えば、２０階の建築物である場合には、２ＤのＣＡＤデータは、２０枚取り込まれる。一方で、３ＤのＣＡＤデータである場合には、データ数は、１つでよい。そして、３ＤのＣＡＤデータにおけるどの部分が、何階に相当するかを対応付ける処理を行う。
【０１５７】
又は、建築用データは、ＢＩＭ（Ｂｕｉｌｄｉｎｇ  Ｉｎｆｏｒｍａｔｉｏｎ  Ｍｏｄｅｌｉｎｇ）データ（例えば、ＩＦＣ（Ｉｎｄｕｓｔｒｙ  Ｆｏｕｎｄａｔｉｏｎ  Ｃｌａｓｓｅｓ）形式データ等である。）等が用いられてもよい。具体的には、ＢＩＭデータに含まれる３ＤのＣＡＤデータと、各モデルに持たせた設計情報又は属性情報とを対応させると、いくつかのモデルから、情報処理装置は、何階かを判断できる。また、区域の名称等は、属性情報等から読み出して表示できる。
【０１５８】
ＢＩＭデータは、例えば、建築物の３次元モデルを示すデータ等を含むデータである。したがって、ＢＩＭデータがあると、建築物は、例えば、建築性能の表示、意匠の表示、構造の表示、干渉状態のチェック、内外観の可視化及びＣＡＥ（Ｃｏｍｐｕｔｅｒ  Ａｉｄｅｄ  Ｅｎｇｉｎｅｅｒｉｎｇ）による解析等が可能となる。ほかにも、ＢＩＭデータがあると、コスト、部材（例えば、素材、数量及び価格等の情報が含まれる。）、地理情報、環境、品質、設計及び工程等を管理することができてもよい。
【０１５９】
また、ＢＩＭデータは、いわゆるデータベース構造等であってもよい。そして、ＢＩＭデータは、例えば、外部装置等から、ネットワーク等を介して、一部又は全部のデータが取得されてもよい。
【０１６０】
なお、位置情報は、ＧＰＳ等で座標等が取得され、取得された座標に対応する場所の名称等が特定されてもよい。具体的には、位置情報取得ステップでは、「○○事務所」等のような場所の名称と、場所の座標とが対応付けされて、データとして入力される。そして、ＧＰＳ等で取得された座標が、あらかじめ入力されている座標と一致する場合には、情報処理装置１０１は、座標に対応する場所の名称を位置情報として取得してもよい。
【０１６１】
また、位置情報ＩＮＦＰは、リストＬＩにおいて、識別情報に対応させて出力されるのが望ましい。このように、位置情報ＩＮＦＰと、識別情報とがリストＬＩ上で対応して表示されると、対象となる作業がどこの場所で行われるかが分かりやすく表示できる。
【０１６２】
なお、情報処理装置１０１は、位置情報を管理者等に入力させてもよい。例えば、情報処理装置１０１は、場所の名称を入力させるＧＵＩ等を出力する等でもよい。そして、このＧＵＩに入力される場所の名称等が位置情報となってもよい。
【０１６３】
＜識別表示、識別表示番号及び識別情報について＞
識別表示と、識別情報とを対応させる方法は、上記のように、識別表示が有する識別表示番号と、リストに示す識別情報とを一致させるに限られない。すなわち、識別表示と、識別情報とが同一の内容であることを管理者が認識できる方法であれば、対応させる方法は、どのような方法でもよい。具体的には、識別表示と、識別情報とを同一の色で表示する色分け等の方法で対応付けがされてもよい。
【０１６４】
なお、識別表示、識別表示番号及び識別情報は、番号に限られず、文字又は記号等を含んでもよい。識別表示、識別表示番号及び識別情報は、複数の作業がある場合には、各作業に対して順に通し番号となるように設定される。このようにすると、識別表示、識別表示番号及び識別情報は、作業ごとに異なる番号となるため、識別表示、識別表示番号及び識別情報から、特定の作業が識別できるようになる。
【０１６５】
なお、識別表示は、アイコンに限られず、作業が行われる位置を示すものであればよく、例えば、あらかじめ設定される他のマーク等でもよい。
【０１６６】
また、各データは、図示した項目数、項目名及び順序でなくともよい。例えば、アイコン設定データには、更に「作業の内容」、「担当者」及び「確認者」等の項目があってもよい。つまり、各データの項目等は、あらかじめ設定できる。
【０１６７】
なお、アイコンの絵、設定方法、大きさ又は配置等は、上記に説明した通りでなくともよい。つまり、アイコンの絵、大きさ又は配置等は、あらかじめ管理者等が設定できてもよい。
【０１６８】
［第２実施形態］
例えば、第２実施形態は、第１実施形態と同様の全体構成及びハードウェア構成等で実現される。第２実施形態は、第１実施形態と比較すると、全体処理が異なる。以下、第１実施形態と異なる点を中心にして説明し、重複する説明を省略する。
【０１６９】
図１７は、第２実施形態における全体処理例を示すフローチャートである。図示する処理例は、第１実施形態と比較すると、ステップＳ１１が加わる点が異なる。以下、第１実施形態と同様の処理は、同一の符号を付し、説明を省略する。
【０１７０】
図示するように、ステップＳ１１は、例えば、ステップＳ０５と並列して実行される処理である。
【０１７１】
＜作業前の状態を示す画像の表示例＞（ステップＳ１１）
ステップＳ１１では、情報処理装置１０１は、作業前の状態を示す画像を表示する。すなわち、情報処理装置１０１は、作業後データの入力において、第２画像データＩＭＧ２を撮像する際等に、例えば、以下のように第１画像データＩＭＧ１を表示する。
【０１７２】
＜第２画像データを撮像する際に第１画像データを表示する例＞
図１８は、第１画像データの表示例を示す図である。例えば、ステップＳ０５では、図示するような画面が表示される。具体的には、撮像画面ＩＭＧＰＮに対して操作を入力すると、第２画像データＩＭＧ２が撮像される。
【０１７３】
そして、図示するように、撮像画面ＩＭＧＰＮには、第２画像データＩＭＧ２のプレビュー表示されるのが望ましい。そして、第２画像データＩＭＧ２のプレビュー表示において、例えば、図示するように、ステップＳ１１により、第１画像データＩＭＧ１が表示される。
【０１７４】
このように、第２画像データＩＭＧ２のプレビュー表示中等に、第１画像データＩＭＧ１が表示されると、第１画像データＩＭＧ１を参照しながら第２画像データＩＭＧ２を撮像できる。特に、第２画像データＩＭＧ２は、作業による変化を記録するため等に用いられる。そのため、作業の前後を比較しやすくするため、第２画像データＩＭＧ２は、第１画像データＩＭＧ１と同じように撮像されるのが望ましい。ゆえに、第２画像データＩＭＧ２を撮像する際に、どのように第１画像データＩＭＧ１が撮像されたかを確認できると、第２画像データＩＭＧ２を第１画像データＩＭＧ１と同じように撮像するのを容易にできる。
【０１７５】
ほかにも、第１画像データＩＭＧ１及び第２画像データＩＭＧ２は、様々な角度又は距離で複数撮像される場合もある。したがって、あらかじめ撮像された第１画像データＩＭＧ１と第２画像データＩＭＧ２を同様に撮像するためには、それぞれの第１画像データＩＭＧ１が、どのように撮像されたかを確認できると、同じような構成の第２画像データＩＭＧ２を撮像するのが容易にできる。
【０１７６】
なお、第１画像データＩＭＧ１は、図示するように、第２画像データＩＭＧ２のプレビュー表示の一部、いわゆるＰｉｎＰ（Ｐｉｃｔｕｒｅ  Ｉｎ  Ｐｉｔｃｈｃｔｕｒｅ）の形式でなくともよい。すなわち、第１画像データＩＭＧ１は、第２画像データＩＭＧ２のプレビュー表示の外側等に表示されてもよい。
【０１７７】
＜画像表示手段の変形例＞
図１９は、画像表示手段の変形例（その１）を示す図である。まず、例えば、第２画像データＩＭＧ２を撮像する場合には、図示するような撮像画面ＩＭＧＰＮが表示されるとする。そして、撮像画面ＩＭＧＰＮには、あらかじめ撮像された第１画像データＩＭＧ１が、例えば、図示するような位置（図示する例では、右下に縮小して表示する。）で表示されるとする。
【０１７８】
また、第１画像データＩＭＧ１を表示する位置、大きさ、範囲又はこれらの組み合わせは、設定できるのが望ましい。具体的には、図示する例では、設定ボタンＢＴＮＳによって、以下のように、位置が設定できる。
【０１７９】
図２０は、画像表示手段の変形例（その２）を示す図である。図示するように、設定ボタンＢＴＮＳによって、第１画像データＩＭＧ１を表示する位置を動かす（図示する例は、撮像画面ＩＭＧＰＮにおいて上下左右のいずれかに動かせる例である。）設定ができる。
【０１８０】
このように、第１画像データＩＭＧ１を表示する位置が設定できると、第２画像データＩＭＧ２のプレビュー表示が見やすくできる。
【０１８１】
なお、ＧＵＩは、設定ボタンＢＴＮＳに限られず、数値等で設定できてもよい。
【０１８２】
また、第１画像データＩＭＧ１を表示する大きさ又は範囲等が設定できてもよい。例えば、設定は、設定ボタンＢＴＮＳ等のようなＧＵＩで設定できてもよいし、座標値、サイズ又は拡大率等のような数値を入力して設定できてもよい。このように、プレビューが表示される画面において、第１画像データＩＭＧ１が邪魔にならないように表示されると、第２画像データＩＭＧ２の撮像が操作しやすい。
【０１８３】
ほかにも、第１画像データＩＭＧ１を表示するか否かは、切り替えることができるのが望ましい。例えば、表示切替ボタンＢＴＮＷが押されると、第１画像データＩＭＧ１を表示するか、非表示とするかを切り替えることができる。このように、表示切替ボタンＢＴＮＷ等のＧＵＩによって表示及び非表示が切り替えできると、第１画像データＩＭＧ１が表示されているとプレビューが見づらい場合等において、第１画像データＩＭＧ１を非表示とし、第２画像データＩＭＧ２の撮像を操作しやすくできる。
【０１８４】
また、第１画像データＩＭＧ１は、例えば、以下のようにして他の画像データに変更されてもよい。
【０１８５】
図２１は、画像表示手段の変形例（その３）を示す図である。例えば、図示する例は、「画像データ選択」ボタンが押されると、第１画像データＩＭＧ１に代わって表示される画像データを選択するための選択画面ＳＬＰＮが表示される例である。なお、画像データの選択は、他のＧＵＩで実現されてもよい。
【０１８６】
例えば、第１画像データＩＭＧ１及び第２画像データＩＭＧ２が、あらかじめ複数入力される場合には、選択画面ＳＬＰＮによって、記憶されている第１画像データＩＭＧ１及び第２画像データＩＭＧ２を選択することができる。このようにして、選択画面ＳＬＰＮ等によって画像データが選択できると、他の第１画像データ又は他の第２画像データ等といった様々な画像データを参照して第２画像データＩＭＧ２を撮像できる。
【０１８７】
ほかに、表示される画像データは、視点又は表示される範囲等が変更できるのが望ましい。すなわち、いわゆる視点変換等によって、第１画像データＩＭＧ１又は第２画像データＩＭＧ２は、対象物が表示される角度、画像データが表示する範囲又はこれらの組み合わせ等が変更できてもよい。
【０１８８】
また、プレビュー表示には、第１画像データＩＭＧ１に写る被写体を物体認識した結果等が更に表示されてもよい。すなわち、プレビュー表示において、第１画像データＩＭＧ１に写る対象物と同じ対象物が写っている場合には、同一と認識された対象物が強調されて表示されてもよい。具体的には、プレビュー表示において、同一と認識された対象物は、エッジが強調される、又は、対象物が写る範囲を所定の色で塗り潰する等の処理で強調される。
【０１８９】
なお、物体認識は、例えば、第１画像データＩＭＧ１とのパターンマッチング又はあらかじめ学習用データを用いて学習処理を行う等で実現される深層学習（ｄｅｅｐ  ｌｅａｒｎｉｎｇ）等の処理、すなわち、ＡＩ（Ａｒｔｉｆｉｃｉａｌ  Ｉｎｔｅｌｌｉｇｅｎｃｅ）等で実現される。
【０１９０】
このように、物体認識の結果がプレビュー表示において強調されると、どこに第１画像データＩＭＧ１と同じ物体が写っているかが分かりやすい。
【０１９１】
さらに、第１画像データＩＭＧ１と同じような撮像条件となるように、設定がされてもよい。例えば、第１画像データＩＭＧ１の明るさ（例えば、画像データ内の平均画素値等である。）等を計算して、同じような明るさになるように、第２画像データＩＭＧ２の撮像においてＡＥ（Ａｕｔｏ  Ｅｘｐｏｓｕｒｅ）等が行われてもよい。すなわち、第１画像データＩＭＧ１と同じような明るさとなる第２画像データＩＭＧ２を撮像しやすくするため、絞り、シャッタスピード、露光時間又はこれらの組み合わせ等の光学条件が設定されてもよい。
【０１９２】
このように、明るさ等が揃うように撮像すると、第１画像データＩＭＧ１及び第２画像データＩＭＧ２が同じように撮像できる。このように撮像されると、第１画像データＩＭＧ１及び第２画像データＩＭＧ２を見て比較しやすい。
【０１９３】
また、第１画像データＩＭＧ１の撮像条件を記憶し、第２画像データＩＭＧ２の撮像条件に反映させてもよい。具体的には、撮像条件は、解像度、画角、ホワイトバランスの条件、絞り、シャッタスピード、露光時間又はこれらの組み合わせ等である。なお、撮像条件を初期値とし、ＡＥ又はオートフォーカス等が行われてもよい。
【０１９４】
このように、撮像条件を揃えることができると、第１画像データＩＭＧ１と同じような第２画像データＩＭＧ２を撮像するのが容易にできる。
【０１９５】
［その他の実施形態］
実施形態は、上記の例に限られない。例えば、情報処理装置の数は、上記の数に限られない。また、情報処理装置の種類及び組み合わせも、上記の構成でなくともよい。
【０１９６】
実施形態は、上記の処理に限られない。例えば、本発明に係る情報処理方法は、上記に説明した以外の順序で行われてもよい。また、情報処理方法は、複数の情報処理装置で実行されてもよい。つまり、情報処理方法における各ステップは、冗長、分散、並列、仮想化又はこれらの組み合わせで実行されてもよい。
【０１９７】
実施形態は、情報処理システム用プログラムによって実現されてもよい。すなわち、情報処理装置等のコンピュータは、プログラムに基づいて、演算装置及び記憶装置等を制御して上記の情報処理方法を実行してもよい。また、プログラムは、コンピュータが読み取り可能な記録媒体に記録されて頒布することができる。なお、記録媒体は、磁気テープ、フラッシュメモリ、光ディスク、光磁気ディスク又は磁気ディスク等のメディアである。さらに、プログラムは、電気通信回線を通じて頒布することができる。
【０１９８】
なお、上記実施形態に挙げた構成等に、その他の要素との組み合わせ等、上記の構成に本発明が限定されるものではない。これらの点に関しては、本発明の趣旨を逸脱しない範囲で変更することが可能であり、その応用形態に応じて適切に定めることができる。
【符号の説明】
【０１９９】
１０                    ：情報処理システム
１０１                  ：情報処理装置
１０２                  ：サーバ
１０Ｆ１                ：データ入力手段
１０Ｆ２                ：建築用データ出力手段
１０Ｆ３                ：識別表示出力手段
１０Ｆ４                ：リスト出力手段
１０Ｆ５                ：作業関連データ入力手段
１０Ｆ６                ：画像データ入力手段
１０Ｆ７                ：判定手段
１０Ｆ８                ：データ数出力手段
３０                    ：建築物
Ｄ１                    ：建築用データ
Ｄ２                    ：作業関連データ
ＩＭＧ１                ：第１画像データ
ＩＭＧ２                ：第２画像データ
ＩＭＧＰＮ              ：撮像画面
ＢＴＮＳ                ：設定ボタン
ＢＴＮＷ                ：表示切替ボタン
ＳＬＰＮ                ：選択画面
【図１】
2020009008.tif 000003
【図２】
2020009008.tif 000004
【図３】
2020009008.tif 000005
【図４】
2020009008.tif 000006
【図５】
2020009008.tif 000007
【図６】
2020009008.tif 000008
【図７】
2020009008.tif 000009
【図８】
2020009008.tif 000010
【図９】
2020009008.tif 000011
【図１０】
2020009008.tif 000012
【図１１】
2020009008.tif 000013
【図１２】
2020009008.tif 000014
【図１３】
2020009008.tif 000015
【図１４】
2020009008.tif 000016
【図１５】
2020009008.tif 000017
【図１６】
2020009008.tif 000018
【図１７】
2020009008.tif 000019
【図１８】
2020009008.tif 000020
【図１９】
2020009008.tif 000021
【図２０】
2020009008.tif 000022
【図２１】
2020009008.tif 000023